(57)【特許請求の範囲】
【請求項１】
天板と、該天板の左右から垂下する左右の側板と、を備える机であって、
前記側板に、下端で床面に接地する左右の脚板が上下位置を変更可能に取付けられ、
前記側板及び前記脚板のうちの一方に、対向する板側に突出し、上下方向に延在するガイド部が設けられるとともに、他方に、前記ガイド部に係合する被ガイド部が設けられ、
当該机を寝かせた際、前記側板が床面に接地し、前記脚板は、前記ガイド部及び前記被ガイド部を係合させた状態で、該脚板の床面側の縁部が床面に接地又は離間する位置で、前記側板に取付けられていることを特徴とする机。
【請求項２】
前記ガイド部が、前記脚板の床面側の縁部と反対側の縁部に設けられ、
前記被ガイド部が、前記側板の前記床面側の縁部と反対側の縁部で構成されていることを特徴とする請求項１に記載の机。
【請求項３】
前記脚板が、前記側板に左右方向外側から取付けられていること特徴とする請求項１又は２に記載の机。
【発明の詳細な説明】
【技術分野】
【０００１】
本発明は、天板高さを調整可能な机に関する。
【背景技術】
【０００２】
学習机のように、使用者の成長に合わせて天板の高さを調整可能な机が従来から知られている。例えば、特許文献１に開示された机では、天板の左右両側面にネジ孔が形成されるとともに、左右側板に複数の取付孔が上下方向に並んで形成され、側板の所望高さの取付孔に選択的にボルトを挿通して天板に固定することで、天板高さが調整可能となっている。
【先行技術文献】
【特許文献】
【０００３】
【特許文献１】特開２００２−２５３３５５号公報
【発明の概要】
【発明が解決しようとする課題】
【０００４】
ところで、上記従来の机では、天板の高さ調整の際、天板を持ち上げて、天板を側板に対して所望の位置で固定する必要があるが、このような作業は、天板の重さや大きさによっては、作業者にとって大きな負担となる。
【０００５】
本発明は係る実情に鑑みてなされたものであり、天板高さを容易に調整可能な机を提供することを目的とする。
【課題を解決するための手段】
【０００６】
上記課題の解決手段として、本発明は、以下の手段を提供する。
本発明の机は、天板と、該天板の左右から垂下する左右の側板と、を備える机であって、前記側板に、下端で床面に接地する左右の脚板が上下位置を変更可能に取付けられ、前記側板及び前記脚板のうちの一方に、対向する板側に突出し、上下方向に延在するガイド部が設けられるとともに、他方に、前記ガイド部に係合する被ガイド部が設けられ、当該机を寝かせた際、前記側板が床面に接地し、前記脚板は、前記ガイド部及び前記被ガイド部を係合させた状態で、該脚板の床面側の縁部が床面に接地又は離間する位置で、前記側板に取付けられていることを特徴とする。
【０００７】
また、上記本発明の机では、前記ガイド部が、前記脚板の床面側の縁部と反対側の縁部に設けられ、前記被ガイド部が、前記側板の前記床面側の縁部と反対側の縁部で構成されていることが好ましい。
【０００８】
また、上記本発明の机では、前記脚板が、前記側板に左右方向外側から取付けられていることが好ましい。
【発明の効果】
【０００９】
本発明によれば、机を寝かせた状態で、側板を床面に接地させ、脚板を側板から下方に突出させずに、ガイド部及び被ガイド部によって側板に脚板の荷重を負担させることができるため、側板を手で支えることなく、脚板をガイド部及び被ガイド部に沿って側板に対しスライドさせて位置調整し、側板に対する脚板の取付作業を行うことができる。したがって、作業負担が軽減し、天板の高さ調整を容易に行うことができる。
【００１０】
また、ガイド部が、脚板の床面側の縁部と反対側の縁部に設けられ、被ガイド部が、側板の床面側の縁部と反対側の縁部で構成されている場合は、複雑な加工をすることなく、ガイド部及び被ガイド部を容易に作製することができる。また、側板の縁部が脚板のガイド部に隠されるため外観品質を向上できる。
【００１１】
また、脚板が、側板に左右方向外側から取付けられている場合は、作業スペースが確保される位置で、脚板の位置調整及び取付作業が行えるため、作業効率を向上できる。
【図面の簡単な説明】
【００１２】
【図１】本発明の実施形態に係る机の斜視図である。
【図２】上記机の前面図である。
【図３】上記机の右側面図である。
【図４】図２のＡ−Ａ線に沿う断面図である。
【図５】上記机を寝かせた状態の机の右側面図である。
【図６】図５に示した状態から机の脚板を側板に対して移動させ、机を起立させた状態の机の右側面図である。
【図７】本発明の別の実施形態に係る机の要部断面図である。
【図８】本発明のさらに別の実施形態に係る机の斜視図である。
【図９】図８のＢ−Ｂ線に沿う断面図である。
【図１０】本発明のさらに別の実施形態に係る机の斜視図である。
【図１１】図１０のＣ−Ｃ線に沿う断面図である。
【図１２】図１０、図１１に示す机の変形例に係る机要部の断面図である。
【発明を実施するための形態】
【００１３】
以下、図面を参照し、本発明の実施形態について説明する。
【００１４】
図１〜図３に示すように、本実施形態の机１は、天板２と、天板２の左右から垂下する左右の側板３，３と、を備え、側板３，３にはそれぞれ、下端で床面に接地する左右の脚板４，４が上下位置を変更可能に取付けられている。天板２、側板３，３、及び脚板４，４は主として木製の矩形板材から構成され、天板２の下方には棚板５が配置され、棚板５は左右端部を側板３，３に挟まれて支持されている。なお、図中Ｘは左右方向、Ｙは前後方向、Ｚは上下方向を示すものとし、以下の説明では、図２の紙面に向かって左を左方、向かって右を右方とする、また、図２の紙面手前を前方、奥側を後方とする。
【００１５】
天板２と棚板５との間において、棚板５の左右方向中央から偏倚した位置には左右一対の仕切り板６，６が配置され、天板２、側板３，３及び棚板５で囲まれる空間は、３つの収容スペースに仕切られている。また、図２に示すように、側板３，３の後部には、当該机１の後面を構成する幕板７が架設されている。
【００１６】
側板３，３は、天板２の左右端部よりもやや内側の位置から垂下し、側板３，３と天板２は図示しない連結手段で連結されている。側板３，３には、上下方向に連設され、前後２列に並ぶネジ孔８・・・が形成され、脚板４，４には、上下方向に並ぶ前後２列の貫通孔９・・・が形成されている。脚板４，４は、側板３，３に左右方向外側から当接され、貫通孔９・・・にボルト１０・・・が挿通され、これらボルト１０・・・が所望のネジ孔８・・・に締め込まれることで、上下位置を変更可能に側板３，３に取付けられている。
【００１７】
図１〜４を参照し、脚板４，４の前端部４Ａ，４Ａには、側板３，３側に突出し、上下方向に延在するガイド部１１，１１が設けられ、このガイド部１１，１１は、脚板４，４の前端部４Ａ，４Ａに別体で取付けられた木材からなる。ガイド部１１，１１は、側板３，３の前縁部３Ａ，３Ａを覆うように、これら前縁部３Ａ，３Ａに前方から係合（当接）し、ここで、側板３，３の前縁部３Ａ，３Ａは、ボルト１０・・・が取外された際に、ガイド部１１，１１を介して脚板４，４を側板３，３に対して摺動可能とする被ガイド部１２，１２として機能する。
【００１８】
図４、図５を併せて参照し、机１を後方に向けて９０度回転させて床面Ｆに寝かせた際、側板３，３の後縁部３Ｂ，３Ｂは、床面Ｆに全体的に接地しており、側板３，３は、前縁部３Ａ，３Ａを水平方向に沿わせて姿勢を保持する。この状態で、ガイド部１１，１１及び被ガイド部１２，１２は係合しており、図４に示すように、脚板４，４は、床面Ｆ側の縁部である後縁部４Ｂ，４Ｂが床面Ｆに接地する。すなわち、この机１では、寝かされた際、脚板４，４が、ガイド部１１，１１及び被ガイド部１２，１２を係合させた状態で、床面Ｆ側の後縁部４Ｂ，４Ｂを床面Ｆに接地させる位置で、側板３，３に取り付けられている。
【００１９】
このような本実施形態の机１では、図５に示すように、寝かせた状態で、側板３，３を床面Ｆに接地させ、脚板４，４を側板３，３から下方に突出せずに、ガイド部１１，１１及び被ガイド部１２，１２によって側板３，３に脚板４，４の荷重を負担させることができる。このため、側板３，３を手で支えることなく、図中矢印Ｗに示すように、ガイド部１１，１１及び被ガイド部１２，１２に沿って脚板４，４を側板３，３に対しスライドさせて位置調整することができ、ボルト１０・・・の取付作業を行うことができる。そして、図６に示すように、机１を起立させることで、天板２の高さが調整することができる。
【００２０】
よって、この机１では、天板２の高さ調整に関する作業負担が軽減し、天板２の高さ調整を容易に行うことができる。
【００２１】
また、上記机１では、ガイド部１１，１１が、脚板４，４の床面Ｆ側の後縁部４Ｂ，４Ｂと反対側の前縁部４Ａ，４Ａに設けられ、側板３，３の床面Ｆ側の後縁部３Ｂ，３Ｂと反対側の前縁部３Ａ，３Ａによって、ガイド部１１，１１に係合する被ガイド部１２，１２が構成されるが、この構成によれば、複雑な加工をすることなく、ガイド部及び被ガイド部を容易に作製することができる。また、側板３，３の前縁部３Ａ，３Ａがガイド部１１，１１に隠されるため外観品質を向上できる。さらには、脚板４，４を上方に持ち上げて、位置調整作業が行えるため、作業性を向上できる。
【００２２】
また、上記机１では、脚板４，４が、側板３，３に左右方向外側から取付けたが、この構成では、作業スペースが確保される位置で、脚板４，４の位置調整及び取付作業が行えるため、作業効率を向上できる。
【００２３】
さらに、上記実施形態の机１では、別途脚板４，４を取付けることで、天板２、側板３，３、棚板５，５及び仕切り板６，６等で構成される部位を昇降させることができる構成であるため、仕切り板６，６等により天板２の撓みが生じず、天板２の横幅の拡大が図れる。
すなわち、従来の天板を側板の所望位置に取付ける構成の机では、天板が独立した部材であり、撓みが生じ易く、天板の横幅を拡大し難いといった問題があったが、上記机１では、このような問題を解消できる。
【００２４】
以上、本発明に係る机の実施形態について説明したが、本発明は上記した実施形態に限定されるものではなく、その趣旨を逸脱しない範囲で適宜変更可能である。
【００２５】
例えば、上記実施形態では、ガイド部１１，１１を、脚板４，４の前縁部４Ａ，４Ａに設ける構成を説明したが、ガイド部１１，１１を設ける位置は、脚板４，４においては後縁部４Ｂ，４Ｂに設ける以外の構成であればよい。例えば別の実施形態として図７に示すように、脚板４，４における前後方向の中央にガイド部２１，２１を設け、側板３，３にガイド部２１，２１に係合する凹状の被ガイド部２２，２２を設けてもよい。なお、この場合に、ガイド部２１，２１と被ガイド部２２，２２との間にある程度の隙間を形成すれば、脚板４，４の取り外しも容易である。ただし、机を寝かした際のガイド部２１，２１と被ガイド部２２，２２との係合状態で、脚板４，４が床面に接地しないように、脚板４，４の寸法を設定する。
【００２６】
また、上記実施形態では、脚板４，４に側板３，３側に突出するガイド部１１，１１を設けたが、側板３，３に脚板４，４側に突出するガイド部を設け、脚板４，４側に被ガイド部を設けてもよい。
【００２７】
また、上記実施形態では、机１を床面Ｆに寝かした状態で脚板４，４の床面Ｆ側の後縁部４Ｂ，４Ｂが床面Ｆに接地するようにしたが、床面Ｆから離間させてもよい。この場合にも、側板３，３が床面Ｆに接地し、脚板４，４が側板３，３から下方に突出しないため、側板３，３を手で支えることなく、脚板４，４を側板３，３に対しスライドさせて位置調整できる。
【００２８】
また、上記実施形態では、ガイド部１１，１１が脚板４，４に対して別体として取付けられる構成を説明したが、ガイド部１１，１１と脚板４，４とを一体に形成してもよい。また、上記実施形態では、脚板４に対しガイド部１１を１つ設ける構成を説明したが、ガイド部は複数設けてもよい。
【００２９】
以下では、本発明のさらに別の実施形態を図８〜図１２を用いて説明する。上記実施形態と同様の構成要素については同一符号で示し、説明は省略する。
【００３０】
図８及び図９では、右側に位置する側板３及び脚板４が示されている。図８は机を寝かした状態を示しているが、この例では、側板３に脚板４側に突出するガイド部３１が設けられ、脚板４の床面Ｆ側の縁部が、ガイド部３１に係合する被ガイド部３２として構成されている。このような構成においても、図９に示すように、脚板４を下方に突出せずに、ガイド部３１及び被ガイド部３２によって側板３，３に脚板４，４の荷重を負担させることができる。
【００３１】
また、図１０はさらに別の実施形態を示しており、図１０は本例の机を左後方から見た斜視図であり、左側の側板３及び脚板４が示されている。この例では、側板３の後縁部に脚板４側に突出するガイド部４１が設けられ、脚板４の後縁部が、ガイド部４１に係合する被ガイド部４２として構成されている。このような構成においても、図１１に示すように、机を寝かせた際、脚板４を下方に突出せずに、ガイド部４１及び被ガイド部４２によって側板３，３に脚板４，４の荷重を負担させることができる。
【００３２】
また、図１２は、図１０、図１１に示した構成において、脚板４における被ガイド部４２が設けられた側の反対側の縁部に、側板３側に突出するガイド部４３を更に設けたものである。このような構成では、脚板４をスライド時の安定性を向上させることができる。
【符号の説明】
【００３３】
１  机
２  天板
３  側板
３Ａ  前縁部（被ガイド部）
４  脚板
１１，２１，３１，４１  ガイド部
１２，２２，３２，４２  被ガイド部
【図１】
0005745356.tif 000002
【図２】
0005745356.tif 000003
【図３】
0005745356.tif 000004
【図４】
0005745356.tif 000005
【図５】
0005745356.tif 000006
【図６】
0005745356.tif 000007
【図７】
0005745356.tif 000008
【図８】
0005745356.tif 000009
【図９】
0005745356.tif 000010
【図１０】
0005745356.tif 000011
【図１１】
0005745356.tif 000012
【図１２】
0005745356.tif 000013